(57)【要約】【課題】  複数のスイッチ機能を、１つの押しボタンスイッチ（ファンクションキーなど）によって操作できる携帯端末を提供する。【解決手段】  携帯端末は、制御部と、制御部に接続される電力管理部と、制御部及び電力管理部に接続される切替え部とを有する。切替え部は、電力管理部が制御部に電源を供給できるように作動する。切替え部は、制御部が電力管理部による電源の供給を中止するように作動できると共に、ユーザーによる切替え部を操作する時間に応じた所定の動作をすることができる。【選択図】図２
0003111950.tif 000002
【実用新案登録請求の範囲】
【請求項１】
電源を供給するための電力管理部と、
前記電力管理部が電源を供給するように前記電力管理部に電気的に接続される制御部と、
前記電力管理部及び前記制御部に電気的に接続され、前記電力管理部が前記制御部に電源を供給できるように作動する切替え部と、をそなえ、
前記切替え部はさらに、前記制御部が前記電力管理部による電源の供給を中止するように作動すると共に、ユーザーによる前記切替え部を操作する時間に応じた所定の動作をすることができることを特徴とする携帯端末。
【請求項２】
前記電力管理部は、第１、第２、第３のノードをそなえ、前記電力管理部は前記第１および第３のノードにロジックハイ電圧信号を送り、第２のノードにロジックロー電圧信号を送る電源を供給しないモード及び、前記電力管理部は、第１、第２のノードにロジックハイ電圧信号を送ると共に、前記制御部に電力を供給する電源を供給するモードに作動し、
前記切替え部は、
前記電力管理部の前記第３のノードに接続される第１の端子と、第２の端子と、前記電力管理部の前記第１のノードに接続される第１の制御端とを有する第１の電圧制御スイッチと、
前記電力管理部の前記第１のノードに接続される第３の端子と、接地される第４の端子と、前記電力管理部の第２のノードに接続される第２の制御端とを有する第２の電圧制御スイッチと、
前記制御部の第１の接続端子に接続される第９の端子と、接地された第６の端子と、前記電力管理部の第１のノードに接続される第３の制御端とをそなえている第３の電圧制御スイッチと、
前記制御部の第２の接続端子に接続される第７の端子と、前記第１の電圧制御スイッチの第２の端子に接続される第８の端子と、前記電力管理部の第２のノードに接続される第４の制御端子とをそなえた第４の電圧制御スイッチと、
前記第１の電圧制御スイッチの第２の端子及び前記第４の電圧制御スイッチの第８の端子に接続される第９の端子と、前記第３の電圧制御スイッチの前記第５の端子及び前記制御部の前記第１の接続端子に接続される第１０の端子と、手動操作端子とをそなえた手動操作スイッチと、を有し、
前記電力管理部は、電源を供給しないモードを電源を供給するモードに切替えると、ロジックロー電圧信号を前記電力管理部の前記第３のノードに供給するように作動することを特徴とする請求項１に記載の携帯端末。
【請求項３】
前記制御部は、ユーザーによる前記切替え部を操作する時間が所定の期間を越えると、前記電力管理部は、電源を供給するモードを電源を供給しないモードに切替えるように作動することを特徴とする請求項２に記載の携帯端末。
【請求項４】
前記所定の操作は、オンフックまたはオフフックの操作をすることであることを特徴とする請求項３に記載の携帯端末。
【請求項５】
前記第１、第２、第３、第４の電圧制御スイッチのいずれかは、ＮＭＯＳトランジスターであり、
前記手動操作式スイッチは、押しボタンスイッチであることを特徴とする、請求項３に記載の携帯端末。
【請求項６】
前記電力管理部および前記制御部に接続されるＩ２Ｃインターフェースをさらにそなえたことを特徴とする、請求項１に記載の携帯端末。
【考案の詳細な説明】
【技術分野】
【０００１】
本考案は、携帯電話機などの携帯端末に関し、特に複数のスイッチ機能を１つの押しボタンスイッチによって操作できる携帯端末に関する。
【背景技術】
【０００２】
従来、電源をオン／オフの操作をする電源キーの外に、オンフック／オフフックの操作をする切替えキーとをそなえた携帯端末が普及しているが、製造コスト低減の目的として、単一のスイッチの操作で両機能が果せるような装置が望まれる。
【考案の開示】
【考案が解決しようとする課題】
【０００３】
本考案は、上記問題を解決して、複数のスイッチ機能を１つの押しボタンスイッチ（ファンクションキーなど）の操作によって実現可能な携帯端末を提供することを目的とする。
【課題を解決するための手段】
【０００４】
上記目的を達成するべく、本考案は、
電源を供給するための電力管理部と、
前記電力管理部が電源を供給するように前記電力管理部に電気的に接続される制御部と、
前記電力管理部及び前記制御部に電気的に接続され、前記電力管理部が前記制御部に電源を供給できるように作動する切替え部と、をそなえ、
前記切替え部はさらに、前記制御部が前記電力管理部による電源の供給を中止するように作動すると共に、ユーザーによる前記切替え部を操作する時間に応じた所定の操作をすることができることを特徴とする携帯端末、
を提供するものである。
【考案の効果】
【０００５】
このように構成された携帯端末によれば、電源を供給する機能やオンフック、オフフックなどの機能を１つの制御キーに組付けて構成することができるので、操作キー数を低減することができる。
【考案を実施するための最良の形態】
【０００６】
以下、本考案の一実施形態について、図１及び図２を参照して詳細に説明する。
【実施形態１】
【０００７】
図１は、本考案の実施形態１の外観形状を示す正面図であり、図２は、同携帯端末の要部の電気的構成を説明するブロック線図である。本考案の携帯端末としては、従来の電源キーおよび切替えキーの機能をまとめて１つのファンクションキーに組付けて設けたものである。図１、図２に示す如く、携帯端末は、筐体１に符号で明示しない表示部、複数の文字数字キー、ファンクションキー４０１が設けられており、筐体１の内部に、ファンクションキー４０１を制御するための制御部２、電力管理部３及び切替え部４をそなえている。
【０００８】
制御部２は、第１、第２の接続端子２１，２２を介して切替え部４に電気的に接続され、Ｉ２Ｃインターフェース５を介して電力管理部３に接続されている。制御部２としては、この例においては、ＢＲＯＡＤＣＯＭ社製のＢＣＭ１１６０ ＩＣとか、フィリップ半導体社製のＰＣＦ５２１３ ＩＣを用いる。なお、制御部２がＢＣＭ１１６０ ＩＣであるときは、第１および第２の接続端子２１，２２はそれぞれＧＰＩＯ＿３とＧＰＩＯ＿１０ピンを用いることができる。
【０００９】
電力管理部３は、Ｉ２Ｃ インターフェース５を介して制御部２に電気的に接続され、第１、第２および第３のノード３１，３２，３３を介して切替え部４に接続されている。この例においては、電力管理部３は、第１のノード３１、第２のノード３２にそれぞれロジックハイ電圧信号、ロジックロー電圧信号を送ったときは、電力を供給しないモードにし、第１および第２のノード３１，３２にロジックハイ電圧信号を送るとき、電力を供給するモードにする構成とする。
【００１０】
また、第３のノード３３は、下降エッジトリガとして電力を供給しないモードから電力を供給するモードに切り換えるために用いられる。即ち、携帯端末の電源がオフされた状態において、電力管理部３からはロジックハイ電圧信号をすでにロジックロー電圧になっている第３のノード３３へ転送したとき、携帯端末は起動される。その後、携帯端末がオンされると、第３のノード３３はロジックハイ電圧に復帰する。
【００１１】
電力管理部３としては、この例においては、例えばフィリップ半導体会社製のＰＣＦ５０６０３ ＩＣまたはＴＥＸＡＳ社のＴＰＳ６５０１２ ＩＣを用いる。例えば、電力管理部３がＰＣＦ５０６０３ ＩＣであるとき、第１および第２のノード３１，３２のそれぞれは、ＶＩＮＴおよびＩＯＶＤＤのピンを用いる。
【００１２】
切替え部４は、制御部２及び電力管理部３に電気的に接続されており、電力管理部３から制御部２に電力を供給するように作動される。また、切替え部４は、制御部２が電力管理部３からの電力の供給を中止するように作動し、またユーザーによる切替え部４の操作期間に所定の操作（例えば、オンフック又はオフフックする）をすることができる構成とする。切替え部４は、この例においては、さらに、抵抗器４５と、例えばＮＭＯＳトランジスターである第１〜第４の各電圧制御スイッチ４１〜４４と、例えば押しボタンスイッチである手動操作スイッチ４０とをそなえている。
【００１３】
第１の電圧制御スイッチ４１は、電力管理部３の第３のノード３３に接続される第１の端子Ｄ１と、第２の端子Ｓ１と、抵抗器４５を介して電力管理部３の第１のノード３１に接続される第１の制御端子Ｇ１とをそなえている。第２の電圧制御スイッチ４２は、抵抗器４５を介して電力管理部の第１のノード３１に接続される第３の端子Ｄ２と、接地された第４の端子Ｓ２と、電力管理部３の第２のノード３２に接続される第２の制御端子Ｇ２とをそなえている。第３の電圧制御スイッチ４３は、制御部２の第１の接続端子２１に電気的に接続される第５の端子Ｄ３と、接地された第６の端子Ｓ３と、抵抗器４５を介して電力管理部３の第１のノード３１に接続される第３の制御端子Ｇ３とをそなえている。第４の電圧制御スイッチ４４は、制御部２の第２の接続端子２２に電気的に接続される第７の端子Ｄ４と、第１の電圧制御スイッチ４１の第２の端子Ｓ１に電気的に接続される第８の端子Ｓ４と、電力管理部３の第２のノード３２に電気的に接続される第４の制御端子Ｇ４とをそなえている。
【００１４】
手動操作スイッチ４０は、第１の電圧制御スイッチ４１の第２の端子Ｓ１及び第４の電圧制御スイッチ４４の第８の端子Ｓ４に電気的に接続される第９の端子Ｎ１と、制御部２の第１の接続端子２１及び第３の電圧制御スイッチ４３の第５の端子Ｄ３に電気的に接続される第１０の端子Ｎ２と、筐体１に設けられたファンクションキー４０１に設置される手動操作端子Ｎ３とをそなえている。
【００１５】
次いで、以上による構成の動作を説明する。まず、電力管理部３は、電源を供給しないモードにあり、携帯端末の電源がオフしているとき、ファンクションキー４０１を押すことにより、切替え部４の手動操作スイッチ４０が駆動され、第１および第３の電圧制御スイッチ４１，４３も作動されて接地され、第２および第４の電圧制御スイッチ４２，４４はＯＦＦ状態となり、電力管理部３の第３のノード３３へロジックロー電圧信号を送る。
【００１６】
すると、電力管理部３は、下降エッジトリガとしての第３のノードを介して電源を供給しないモードから電源を供給するモードに切り替わり、携帯端末がＯＮ状態となる。
【００１７】
このとき、電源管理部３は、第２のノード３２にロジックハイ電圧信号を発し、第２および第４の電圧制御スイッチ４２，４４は駆動され、第１および第３の電圧制御スイッチ４１，４３は、ＯＦＦ状態となると共に、第３のノード３３にロジックハイ電圧信号を発する。次いで、ファンクションキー４０１を押下げると、切替え部４における手動操作スイッチ４０のファンクションキー４０１の押下期間が例えば３秒の所定時間を越えなければ、制御部２は例えば所定のオンフック・オフフック操作を行うように作動し、また、手動操作スイッチ４０のファンクションキー４０１の押下期間が所定時間を越えると、電源管理部３が電源を供給するモードを、電源を供給しないモードに切替えるように駆動され、携帯端末の電源がオフされる。
【００１８】
したがって、上記構成により、１つのファンクションキーの操作によって電源のオン・オフ及びオンフック・オフフックなどの所定操作を行うことができる。
【産業上利用可能性】
【００１９】
本考案の携帯端末によれば、電源キーやオンフック又はオフフックなどの切替えキーなどの複数機能を１つの制御キーに組付けるように構成することができ、キー数の低減に寄与することができる。
【図面の簡単な説明】
【００２０】
【図１】本考案にかかる携帯端末の一実施形態を概略示す正面図。
【図２】同実施形態の電気回路構成を示すブロック線図。
【符号の説明】
【００２１】
１  筐体
２  制御部
３  電力管理部
３１〜３３  第１〜第３のノード
４  切替え部
４０  手動操作スイッチ（押しボタンスイッチ）
４０１  ファンクションキー
【図１】
0003111950.tif 000003
【図２】
0003111950.tif 000004